(57)【要約】【課題】過去に中綴じ製本印刷用の版下データを作成した際の用紙の種類と、当該版下データを利用して再印刷する際の用紙の種類と、の違いを考慮しない場合に比べて、版下データを利用して再印刷する場合に余白が適切に調整される、情報処理装置、印刷システム、及び情報処理プログラムを提供する。【解決手段】画像データのページ毎のビットマップイメージを生成し、中綴じ製本印刷用に余白を調整して面付けした版下を利用して再印刷を行う際に、版下を作成した際の用紙の種類と、これから印刷を行おうとしている用紙の種類とが異なる場合、それぞれの用紙の種類に応じた余白調整量４８を記憶部２８から取得し、調整値算出部２６で調整値を算出し、印刷指示部３０が調整値に基づいて、版下の右半分のビットマップイメージ及び左半分のビットマップイメージを別々に、算出した調整値だけ移動させるように印刷部３２のページメモリへ転送する。【選択図】図１
2011204030.tif 000002
【特許請求の範囲】
【請求項１】
過去に複数のページデータを含む画像データの印刷が指示された際に作成され、かつ印刷が指示された用紙の種類に応じた中綴じ製本印刷用の余白調整量で余白が調整された版下データを使用した印刷の、前記画像データを用いた再印刷が指示された際に、再印刷が指示された画像データの過去に作成された版下データを取得する第１の取得手段と、
前記画像データの再印刷が指示された用紙の種類が、前記版下データが作成された際の用紙の種類と異なる場合に、前記画像データの再印刷が指示された用紙の種類及び前記版下データが作成された際の用紙の種類の各々に応じた中綴じ製本印刷用の余白調整量を取得する第２の取得手段と、
前記第２の取得手段で取得された前記画像データの再印刷が指示された用紙の種類及び前記版下データが作成された際の用紙の種類の各々に応じた中綴じ製本印刷用の余白調整量から余白調整値を算出する算出手段と、
前記第１の取得手段で取得した版下データのページデータを再印刷が指示された用紙に印刷する位置を、前記算出手段で算出した余白調整値に基づいて、調整して前記画像データの再印刷を実行するように印刷手段に指示する指示手段と、
を備えた情報処理装置。
【請求項２】
前記版下データを記憶する記憶手段を備えた、
請求項１に記載の情報処理装置。
【請求項３】
請求項１または請求項２に記載の情報処理装置と、
前記情報処理装置により印刷が指示される印刷手段と、
を備えた印刷システム。
【請求項４】
第１の取得手段により、過去に複数のページデータを含む画像データの印刷が指示された際に作成され、かつ印刷が指示された用紙の種類に応じた中綴じ製本印刷用の余白調整量で余白が調整された版下データを使用した印刷の、前記画像データを用いた再印刷が指示された際に、再印刷が指示された画像データの過去に作成された版下データを取得するステップと、
第２の取得手段により、前記画像データの再印刷が指示された用紙の種類が、前記版下データが作成された際の用紙の種類と異なる場合に、前記画像データの再印刷が指示された用紙の種類及び前記版下データが作成された際の用紙の種類の各々に応じた中綴じ製本印刷用の余白調整量を取得するステップと、
算出手段により、前記第２の取得手段で取得された前記画像データの再印刷が指示された用紙の種類及び前記版下データが作成された際の用紙の種類の各々に応じた中綴じ製本印刷用の余白調整量から余白調整値を算出するステップと、
指示手段により、前記第１の取得手段で取得した版下データのページデータを再印刷が指示された用紙に印刷する位置を、前記算出手段で算出した余白調整値に基づいて、調整して前記画像データの再印刷を実行するように印刷手段に指示するステップと、
を備えた処理をコンピュータに実行させるための情報処理プログラム。
【発明の詳細な説明】
【技術分野】
【０００１】
本発明は、情報処理装置、印刷システム、及び情報処理プログラムに関する。
【背景技術】
【０００２】
特許文献１には、中綴じ製本印刷が可能な印刷装置と通信可能な情報処理装置であって、中綴じ製本印刷の指定を受け付ける受付手段と、予め設定された中綴じ製本印刷における余白調整量を記憶する記憶手段と、中綴じ製本印刷の指定を受け付けた場合に前記記憶手段に記憶された余白量に基づいて綴じ位置からの余白量を用紙単位で自動的に調整する余白調整手段とを有することを特徴とする情報処理装置、が記載されている。
【先行技術文献】
【特許文献】
【０００３】
【特許文献１】特開２００４−００５４６８号公報
【発明の概要】
【発明が解決しようとする課題】
【０００４】
本発明は、過去に中綴じ製本印刷用の版下データを作成した際の用紙の種類と、当該版下データを利用して再印刷する際の用紙の種類と、の違いを考慮しない場合に比べて、版下データを利用して再印刷する場合に余白が適切に調整される、情報処理装置、印刷システム、及び情報処理プログラムを提供することを目的とする。
【課題を解決するための手段】
【０００５】
上記目的を達成するために、請求項１に記載の情報処理装置は、過去に複数のページデータを含む画像データの印刷が指示された際に作成され、かつ印刷が指示された用紙の種類に応じた中綴じ製本印刷用の余白調整量で余白が調整された版下データを使用した印刷の、前記画像データを用いた再印刷が指示された際に、再印刷が指示された画像データの過去に作成された版下データを取得する第１の取得手段と、前記画像データの再印刷が指示された用紙の種類が、前記版下データが作成された際の用紙の種類と異なる場合に、前記画像データの再印刷が指示された用紙の種類及び前記版下データが作成された際の用紙の種類の各々に応じた中綴じ製本印刷用の余白調整量を取得する第２の取得手段と、前記第２の取得手段で取得された前記画像データの再印刷が指示された用紙の種類及び前記版下データが作成された際の用紙の種類の各々に応じた中綴じ製本印刷用の余白調整量から余白調整値を算出する算出手段と、前記第１の取得手段で取得した版下データのページデータを再印刷が指示された用紙に印刷する位置を、前記算出手段で算出した余白調整値に基づいて、調整して前記画像データの再印刷を実行するように印刷手段に指示する指示手段と、を備える。
【０００６】
請求項２に記載の情報処理装置は、請求項１に記載の情報処理装置において、前記版下データを記憶する記憶手段を備えた。
【０００７】
請求項３に記載の印刷システムは、請求項１または請求項２に記載の情報処理装置と、前記情報処理装置により印刷が指示される印刷手段と、を備えた。
【０００８】
請求項４に記載の情報処理プログラムは、第１の取得手段により、過去に複数のページデータを含む画像データの印刷が指示された際に作成され、かつ印刷が指示された用紙の種類に応じた中綴じ製本印刷用の余白調整量で余白が調整された版下データを使用した印刷の、前記画像データを用いた再印刷が指示された際に、再印刷が指示された画像データの過去に作成された版下データを取得するステップと、第２の取得手段により、前記画像データの再印刷が指示された用紙の種類が、前記版下データが作成された際の用紙の種類と異なる場合に、前記画像データの再印刷が指示された用紙の種類及び前記版下データが作成された際の用紙の種類の各々に応じた中綴じ製本印刷用の余白調整量を取得するステップと、算出手段により、前記第２の取得手段で取得された前記画像データの再印刷が指示された用紙の種類及び前記版下データが作成された際の用紙の種類の各々に応じた中綴じ製本印刷用の余白調整量から余白調整値を算出するステップと、指示手段により、前記第１の取得手段で取得した版下データのページデータを再印刷が指示された用紙に印刷する位置を、前記算出手段で算出した余白調整値に基づいて、調整して前記画像データの再印刷を実行するように印刷手段に指示するステップと、を備えた処理をコンピュータに実行させるためのものである。
【発明の効果】
【０００９】
請求項１、請求項３、及び請求項４に記載の発明によれば、過去に中綴じ製本印刷用の版下データを作成した際の用紙の種類と、当該版下データを利用して再印刷する際の用紙の種類と、の違いを考慮しない場合に比べて、版下データを利用して再印刷する場合に余白が適切に調整される。
【００１０】
請求項２に記載の発明によれば、版下データを記憶しない場合に比べて、処理速度が向上する。
【図面の簡単な説明】
【００１１】
【図１】本実施の形態に係る情報処理装置、及び当該情報処理装置を備えた印刷システム（印刷装置）の概略構成の一例を示す機能ブロック図である。
【図２】本実施の形態に係る情報処理装置の制御部で実行される処理の具体的一例を示すフローチャートである。
【図３】本実施の形態に係るユーザが中綴じ製本印刷を指示するための印刷指示受付部（ユーザインターフェイス）の具体的一例を説明するための説明図である。
【図４】本実施の形態に係るユーザが版下の保存を指示するための印刷指示受付部（ユーザインターフェイス）の具体的一例を説明するための説明図である。
【図５】本実施の形態に係る面付け位置、移動値等の具体的一例を説明するための説明図である。
【図６】本実施の形態に係る記憶部に記憶されている用紙の種類に応じた余白調整量の具体的一例を説明するための説明図である。
【発明を実施するための形態】
【００１２】
以下、図面を参照して本発明の実施の形態を詳細に説明する。なお、本実施の形態の情報処理装置は、具体的一例として、ユーザから印刷指示を受け付けて印刷を行う印刷装置である。
【００１３】
本実施の形態の情報処理装置の概略構成について説明する。図１は、本実施の形態の情報処理装置、及び当該情報処理装置を備えた印刷システム（印刷装置）の概略構成の一例を示す機能ブロック図である。本実施の形態の印刷システム１は、情報処理装置１０、印刷部３２、及び中綴じ部３４を備えて構成されている。本実施の形態では、印刷装置１が画像データから版下を作成する機能、画像データに基づいて用紙（記録媒体）上に画像を形成する機能、及び画像が形成された用紙の後処理として中綴じする機能を有している。
【００１４】
情報処理装置１０は、制御部２０、印刷指示受付部２２、版下作成部２４、調整値算出部２６、記憶部２８、及び印刷指示部３０を備えて構成されている。情報処理装置１０は、制御部２０、印刷指示受付部２２、版下作成部２４、調整値算出部２６、記憶部２８、及び印刷指示部３０は、ネットワーク回線やＬＡＮ回線等の通信回線３４により相互に信号が授受されるように接続されている。
【００１５】
制御部２０は、情報処理装置１０の制御を行うものであり、具体的には、ＣＰＵ４０、ＲＯＭ４２、及びＲＡＭ４４を含んで構成されている。ＣＰＵ４０で実行される処理のプログラム４３は、ＲＯＭ４２に格納されている。なお、本実施の形態では、プログラム４３は、予め格納されている構成としているがこれに限らず、プログラム４３をＣＤ−ＲＯＭやリムーバブルディスク等の記録媒体等に記憶しておき記録媒体から制御部２０にインストールするようにしてもよいし、インターネット等の通信回線を介して外部装置から制御部２０にインストールするようにしてもよい。ＲＡＭ４４は、ＣＰＵ４０でプログラム４３を実行する際の作業用の領域を確保するものである。
【００１６】
印刷指示受付部２２は、外部の端末装置等から画像データや当該画像データの印刷指示を受け付ける機能を有している。なお、本実施の形態では、ディスプレイや、マウス、タッチパネル等のユーザインターフェイスを含んでおり、印刷を指示するユーザにより、版下の作成及び保存や中綴じ製本の有無が指示される。
【００１７】
版下作成部２４は、版下作成の指示をユーザから受け付けると、画像データを用いて版下データ（以下、単に版下という）を作成する機能を有するものである（詳細後述）。
【００１８】
調整値算出部２６は、記憶部２８に記憶されている版下を利用して、画像データの再印刷を行う際に、今回の印刷における、中綴じ製本印刷用の、調整値（ページデータを移動して印刷する印刷量）を算出する機能を有するものである。
【００１９】
記憶部２８は、版下４６や、用紙の種類に応じた余白調整量４８等を記憶する機能を有するものであり、具体的一例としては、メモリやハードディスク等が挙げられる。印刷指示部３０は、画像データの版下を用いて用紙に印刷を行うための印刷指示を行う機能を有するものである。
【００２０】
また、印刷部３２は、情報処理装置１０の指示に従い、版下を用いて用紙上に画像を形成する印刷を行う機能を有するものである。中綴じ部３４は、印刷部３２により画像が形成された用紙に対して中綴じ製本を行う機能を有するものである。また、本実施の形態では、中綴じ製本後、見栄えをよくするために、前小口側のはみ出した端部をトリミングする。
【００２１】
次に、本実施の形態の情報処理装置１０の動作について説明する。図２は、本実施の形態の情報処理装置１０の制御部２０で実行される処理の一例を示すフローチャートである。本処理は、印刷指示受付部２２によりユーザから画像データの印刷を受け付けると開始される。
【００２２】
ステップ１００では、過去に作成した版下を再利用するか否か判断する。本実施の形態の印刷装置１では、印刷装置１内に版下を（記憶部２８に）記憶する。このように、版下を自装置内に記憶することにより、同じ画像データを印刷（再印刷）する場合に、再印刷を高速に行える。また、同じ画像データを他の印刷装置で印刷する場合でも、当該版下を印刷を行う他の印刷装置に通信回線等により転送することにより他の印刷装置を用いた再印刷であっても容易に行える。そのため、ステップ１００では、記憶部２８に記憶されている版下４６を再利用するか否か判断する。初めて印刷を行うため版下４６が記憶部２８に記憶されていなかったり、ユーザが版下を新しく作り直すと判断して印刷指示受付部２２から版下の作成を指示したりした場合等は、否定されてステップ１０２へ進む。
【００２３】
ステップ１０２では、印刷を受け付けた画像データの版下を作成する。具体的には、画像データのビットマップイメージデータを指定された印刷条件により面付けや余白調整等を施したデータである。そのため、まず指定された画像データに含まれる全ページデータのビットマップイメージ（ｂｍｐ）を作成する。具体的一例として全５２ページのページデータを含む画像データについて説明する。各ページごとに、ビットマップイメージデータを生成する。ｂｍｐ[１]、ｂｍｐ[２]、ｂｍｐ[３]、ｂｍｐ[４]、ｂｍｐ[５]、ｂｍｐ[６]、ｂｍｐ[７]、ｂｍｐ[８]、ｂｍｐ[９]、ｂｍｐ[１０]、ｂｍｐ[１１]、ｂｍｐ[１２]、ｂｍｐ[１３]、ｂｍｐ[１４]、ｂｍｐ[１５]、ｂｍｐ[１６]、ｂｍｐ[１７]、ｂｍｐ[１８]、ｂｍｐ[１９]、ｂｍｐ[２０]、ｂｍｐ[２１]、ｂｍｐ[２２]、ｂｍｐ[２３]、ｂｍｐ[２４]、ｂｍｐ[２５]、ｂｍｐ[２６]、ｂｍｐ[２７]、ｂｍｐ[２８]、ｂｍｐ[２９]、ｂｍｐ[３０]、ｂｍｐ[３１]、ｂｍｐ[３２]、ｂｍｐ[３３]、ｂｍｐ[３４]、ｂｍｐ[３５]、ｂｍｐ[３６]、ｂｍｐ[３７]、ｂｍｐ[３８]、ｂｍｐ[３９]、ｂｍｐ[４０]、ｂｍｐ[４１]、ｂｍｐ[４２]、ｂｍｐ[４３]、ｂｍｐ[４４]、ｂｍｐ[４５]、ｂｍｐ[４６]、ｂｍｐ[４７]、ｂｍｐ[４８]、ｂｍｐ[４９]、ｂｍｐ[５０]、ｂｍｐ[５１]、ｂｍｐ[５２]のビットマップデータが生成される。
【００２４】
さらに、本実施の形態の印刷装置１では、中綴じ製本を行う機能（中綴じ部３４）を有しており、中綴じ製本を行うため、ユーザが印刷指示受付部２２により面付け（中綴じ）を行うように指示した場合は、中綴じ面付けを施した版下を作成する。ユーザが中綴じを指示するための印刷指示受付部（ユーザインターフェイス）２２の具体的一例を図３に示す。本実施の形態では、図３に示すようにユーザが「面付け  小冊子作成（中とじ）」を指示すると、中綴じ面付けを行った版下が版下作成部２４により作成される。
【００２５】
中綴じ製本の場合、１枚目表、１枚目裏、２枚目表・・・の順序で面付けが行われる。全ｎ（上記具体例ではｎ＝５２）ページのページデータを製本時に左側が背表紙になるように面付けする場合、ｉ枚目の用紙表左側に印刷されるビットマップイメージは、ｂｍｐ[ｎ−２ｉ＋２]になる。ｉ枚目の用紙表右側に印刷されるビットマップイメージは、ｂｍｐ[２ｉ−１]になる。ｉ枚目の用紙裏左側に印刷されるビットマップイメージは、ｂｍｐ[２ｉ]になる。ｉ枚目の用紙裏右側に印刷されるビットマップイメージは、ｂｍｐ[ｎ−２ｉ＋１]になる。従って、上述の例では、１枚目の用紙表左側にはｂｍｐ[５２]、右側にはｂｍｐ[１]、１枚目の用紙裏左側にはｂｍｐ[２]、右側にはｂｍｐ[５１]が面付けされる。
【００２６】
さらに、用紙の種類に応じた余白調整量でビットマップイメージを用紙に配置（面付け）する位置を調整する。図５を参照して説明する。中綴じ製本印刷では、外側の用紙（表紙／裏表紙となる側）に対して内側の用紙がはみ出す。また、外側の用紙ほど、製本の厚みに応じて、ビットマップイメージの印刷位置が背表紙（山折り）側にずれてしまう。用紙の厚みが厚いほど、また用紙の枚数が多いほど、このずれは顕著になる。そのため、中綴じ製本印刷では、ビットマップイメージデータを前小口側に外側の用紙ほど大きく移動して配置する。また、厚みがある等によりずれ量が多い用紙ほど大きく移動して配置する。本実施の形態では、用紙の種類に応じた移動値を余白調整量４８として記憶部２８に予め記憶している。なお、本実施の形態で「余白」とは、前小口側の「余白」のことを示している。
【００２７】
Ａ４サイズの用紙（横向き、縦：２１０．０ｍｍ、横：２９７．０ｍｍ）を用いる場合、用紙１枚当たりの移動値をｄ０とすると、ｉ枚目の用紙表左側に配置されるビットマップイメージの原点は、（０．０−ｄ０（ｎ−ｉ）、０．０）になる。ｉ枚目の用紙表右側に配置されるビットマップイメージの原点は、（１４８．５＋ｄ０（ｎ−ｉ）、０．０）になる。ｉ枚目の用紙裏左側に配置されるビットマップイメージの原点は、（０．０−ｄ０（ｎ−ｉ）、０．０）になる。ｉ枚目の用紙裏右側に配置されるビットマップイメージの原点は、（１４８．５＋ｄ０（ｎ−ｉ）、０．０）になる。これらを原点として、各ページのビットマップイメージを面付けする。
【００２８】
作成された版下は、ユーザの指示により記憶部２８に版下４６として保存される。ユーザが版下の保存を指示するための印刷指示受付部（ユーザインターフェイス）２２の具体的一例を図４に示す。本実施の形態では、図４に示すようにユーザが「送り先・保存」を指示し、「ジョブの保存場所」を指定すると、指定された保存場所に作成された版下が記憶される。
【００２９】
次のステップ１０４では、作成した版下の印刷を印刷指示部３０から印刷部３２に指示した後、本処理を終了する。当該指示により印刷指示部３０で用紙上に画像データに応じた画像が形成され、中綴じ部３４で中綴じ製本が行われる。これにより、ユーザが指示した印刷が終了する。
【００３０】
一方、ステップ１００で版下を再利用する場合は肯定されて、ステップ１０６へ進む。ステップ１０６では、記憶部２８から版下４６を取得する。次のステップ１０８では、版下４６を作成した際に印刷を行った用紙の種類と、今回、ユーザにより印刷を指示された用紙の種類とが一緒であるか否かを判断する。一緒であると判断した場合は、肯定されてステップ１１０へ進み、取得した版下の印刷を印刷部３２に指示した後、本処理を終了する。
【００３１】
一方、用紙が一緒ではないと判断した場合は、否定されてステップ１１２へ進む。ステップ１１２では、版下作成時の用紙の種類に応じた余白調整量４８及び印刷を指示された用紙の種類に応じた余白調整量４８を記憶部２８から取得する。中綴じ製本によりビットマップイメージが移動する移動値は、用紙の厚みや、コートの有無、剛性等により変化する。主に坪量に関連しているが、用紙の種類により移動値が異なるため、予め用紙の種類に応じた余白調整量４８を記憶部２８に記憶しておく。記憶部２８に記憶されている余白調整量４８の具体的一例を図６に示す。
【００３２】
次のステップ１１４では、移動値の調整値を算出する。上述のように、用紙の種類毎に版下の余白調整量（移動値）が異なるため、記憶部２８に記憶されている版下４６をそのまま利用して再印刷してしまうと不正な余白調整量で印刷を行ってしまい、正常な印刷が行えない場合がある。そのため本実施の形態では、利用しようとする版下の作成時の用紙の種類に応じた余白調整量４８と、これらから印刷しようとしている用紙の種類に応じた余白調整量４８とから、版下を利用するための調整値を算出する。なお、利用しようとする版下の作成時の用紙の種類に応じた余白調整量４８は、版下４６に含まれている余白調整量を取得してもよいし、版下４６から用紙の種類を特定し、特定した用紙の種類に応じた余白調整量４８を記憶部２８から取得してもよい。
【００３３】
版下作成時の用紙の余白調整量をｄ０、これから印刷しようとしている用紙の余白調整量をｄ１とすると、用紙の左側に配置されるビットマップイメージの調整値は（ｄ０−ｄ１）（ｎ−ｉ）になる。また、用紙の右側に配置されるビットマップイメージの調整値は（ｄ１−ｄ０）（ｎ−ｉ）になる。
【００３４】
次のステップ１１６では、算出した調整値に応じてビットマップイメージをシフトさせて印刷するよう、印刷指示部３０から版下の印刷を印刷部３２に指示した後、本処理を終了する。本実施の形態では、版下の右半分のビットマップイメージ及び左半分のビットマップイメージを別々に、算出した調整値だけ移動させるように印刷部３２のページメモリへ転送する。
【００３５】
以上説明したように、本実施の形態では、画像データのページ毎のビットマップイメージを生成し、中綴じ製本印刷用に余白を調整して面付けした版下を利用して再印刷を行う際に、版下を作成した際の用紙の種類と、これから印刷を行おうとしている用紙の種類とが異なる場合、それぞれの用紙の種類に応じた余白調整量４８を記憶部２８から取得し、調整値算出部２６で調整値を算出し、印刷指示部３０が調整値に基づいて、版下の右半分のビットマップイメージ及び左半分のビットマップイメージを別々に、算出した調整値だけ移動させるように印刷部３２のページメモリへ転送する。
【００３６】
これにより印刷部３２で印刷を行う際に、前小口側の余白を調整値に応じ調整して印刷するため、ビットマップイメージが適切な位置に配置されて印刷される。従って、外側の用紙と、内側の余白位置がずれることなく適切な印刷が行える。
【００３７】
なお、本実施の形態では、記憶部２８に記憶されている版下４６を利用して再印刷する場合について説明したがこれに限らず、通信回線等を介して他の印刷装置や、端末装置等から版下を取得して再印刷するものであってもよい。なお、情報処理装置１０内の記憶部２８に、版下４６を記憶しておき、これを再利用することにより、再利用時の処理速度が向上させられる。
【符号の説明】
【００３８】
１  印刷装置
１０  情報処理装置
２０  制御部
２２  印刷指示受付部
２４  版下作成部
２６  調整値算出部
２８  記憶部
３０  印刷指示部
３２  印刷部
３４  中綴じ部
４３  プログラム
４６  版下
４８  余白調整量
【図１】
2011204030.tif 000003
【図２】
2011204030.tif 000004
【図３】
2011204030.tif 000005
【図４】
2011204030.tif 000006
【図５】
2011204030.tif 000007
【図６】
2011204030.tif 000008